(57)【要約】【課題】接続端子とハウジングとの絶縁を維持しつつ、接続端子に導電部材を接続しやすくできる電動圧縮機を提供する。【解決手段】電動圧縮機は、モータ配線２７と導電部材３２とを電気的に接続する接続端子５０と、接続端子５０を内部に収容する絶縁性の端子収容部材５４と、圧縮部、電動モータ、及び端子収容部材５４を収容するモータハウジングとを備える。端子収容部材５４は、接続端子５０を保持する端子保持部材６０と、端子保持部材６０を収容するクラスタブロック７０とを備える。クラスタブロック７０は、端子保持部材６０を挿入するための収容孔７３を備える。端子保持部材６０は、接続端子５０を保持する保持部６６と、モータ配線２７が挿通されるとともに収容孔７３の開口を閉塞する第５壁部６５とを有する。【選択図】図４
2019178668.tif 000002
【特許請求の範囲】
【請求項１】
冷媒を圧縮する圧縮部と、
前記圧縮部を駆動する電動モータと、
前記電動モータを駆動するモータ駆動回路と、
前記モータ駆動回路と電気的に接続された導電部材と、
前記電動モータから引き出されたモータ配線と、
前記モータ配線と前記導電部材とを電気的に接続する接続端子と、
前記接続端子を内部に収容する絶縁性の端子収容部材と、
前記圧縮部、前記電動モータ、及び前記端子収容部材を収容するハウジングと、
を備えた電動圧縮機において、
前記端子収容部材は、前記接続端子を保持する端子保持部材と、前記端子保持部材を収容するクラスタブロックとを備え、
前記クラスタブロックは、前記端子保持部材を挿入するための収容孔を備え、
前記端子保持部材は、前記接続端子を保持する保持部と、前記モータ配線が挿通されるとともに前記収容孔の開口を閉塞する閉塞壁部とを有することを特徴とする電動圧縮機。
【請求項２】
前記閉塞壁部は、前記収容孔の内周面に嵌合される外周面と、前記外周面に凹設されるとともに前記モータ配線が挿通される挿通溝を有し、
前記保持部は、前記接続端子が挿入されるとともに前記挿通溝と連通しつつ同じ方向に開口する開口部を有する請求項１に記載の電動圧縮機。
【請求項３】
前記収容孔と前記閉塞壁部における前記接続端子とは反対側の端面とによって囲まれる空間には、シール部材が設けられている請求項１又は請求項２に記載の電動圧縮機。
【請求項４】
前記クラスタブロックは、前記収容孔の開口側への前記端子保持部材の移動を規制する保持部材規制部を有する請求項１〜請求項３の何れか一項に記載の電動圧縮機。
【請求項５】
前記端子保持部材は、前記端子保持部材に対する前記接続端子の移動を規制する端子規制部を有する請求項１〜請求項４の何れか一項に記載の電動圧縮機。
【発明の詳細な説明】
【技術分野】
【０００１】
本発明は、電動圧縮機に関する。
【背景技術】
【０００２】
特許文献１に開示の電動圧縮機は、冷媒を圧縮する圧縮部と、圧縮部を駆動する電動モータと、電動モータを駆動するモータ駆動回路と、モータ駆動回路と電気的に接続された導電部材と、電動モータから引き出されたモータ配線とを備えている。また、電動圧縮機は、モータ配線と導電部材とを電気的に接続する接続端子と、接続端子を内部に収容する絶縁性の端子収容部材と、圧縮部、電動モータ、及び端子収容部材を収容するハウジングとを備えている。端子収容部材は、接続端子が収容されるクラスタブロックと、クラスタブロック全体を覆うカバー部材とを有している。クラスタブロックは、内部に接続端子を収容するための開口部を有している。クラスタブロックの開口部は、カバー部材によって塞がれている。
【０００３】
ところで、冷媒には、電動圧縮機内の摺動部位（例えば、圧縮部）の潤滑を良好とするための潤滑油が含まれている。潤滑油は、クラスタブロック内に侵入すると接続端子とハウジングとを導通させる可能性があるが、特許文献１に開示の電動圧縮機では、クラスタブロックの開口部はカバー部材によって塞がれているため、潤滑液を含んだ冷媒が開口部を介してクラスタブロック内に侵入することを抑制できる。よって、カバー部材によってクラスタブロックが覆われていない場合と比較して、接続端子とハウジングとの絶縁性を高めることができる。
【先行技術文献】
【特許文献】
【０００４】
【特許文献１】特開２０１３−２４５５５５号公報
【発明の概要】
【発明が解決しようとする課題】
【０００５】
ところで、特許文献１では、クラスタブロック内に接続端子が収容されていることが説明及び図示されているものの、クラスタブロック内における接続端子の具体的な収容態様については開示されていない。導電部材を接続端子に接続する際、クラスタブロック内で接続端子が移動するなどして接続端子に導電部材をスムーズに接続できない虞がある。
【０００６】
本発明は、上記課題を解決するためになされたものであり、その目的は、接続端子とハウジングとの絶縁を維持しつつ、接続端子に導電部材を接続しやすくできる電動圧縮機を提供することにある。
【課題を解決するための手段】
【０００７】
上記問題点を解決するための電動圧縮機は、冷媒を圧縮する圧縮部と、前記圧縮部を駆動する電動モータと、前記電動モータを駆動するモータ駆動回路と、前記モータ駆動回路と電気的に接続された導電部材と、前記電動モータから引き出されたモータ配線と、前記モータ配線と前記導電部材とを電気的に接続する接続端子と、前記接続端子を内部に収容する絶縁性の端子収容部材と、前記圧縮部、前記電動モータ、及び前記端子収容部材を収容するハウジングと、を備えた電動圧縮機において、前記端子収容部材は、前記接続端子を保持する端子保持部材と、前記端子保持部材を収容するクラスタブロックとを備え、前記クラスタブロックは、前記端子保持部材を挿入するための収容孔を備え、前記端子保持部材は、前記接続端子を保持する保持部と、前記モータ配線が挿通されるとともに前記収
容孔の開口を閉塞する閉塞壁部とを有することを要旨とする。
【０００８】
これによれば、クラスタブロックの収容孔の開口は、端子保持部材の閉塞壁部によって閉塞される。このため、潤滑液を含んだ冷媒が収容孔を介してクラスタブロック内に侵入することが抑制される。よって、接続端子とハウジングとの絶縁を維持できる。また、導電部材は、接続端子を保持している端子保持部材がクラスタブロックの収容孔に収容された後で、接続端子に接続される。端子保持部材の閉塞壁部は収容孔の開口を閉塞し、接続端子は端子保持部材の保持部によって保持されている。つまり、接続端子を保持する端子保持部材の一部が、接続端子を収容する隔壁の一部を構成する。よって、クラスタブロック内での接続端子の移動が規制され、接続端子に導電部材を接続しやすい。また、閉塞壁部にはモータ配線が挿通され、保持部には接続端子が保持されている。このため、閉塞壁部とモータ配線との位置関係、及び保持部と接続端子との位置関係を保ったまま、端子保持部材をクラスタブロックに収容できる。よって、接続端子とハウジングとの絶縁を維持しつつ、クラスタブロックに端子保持部材を組み付けやすくできる。
【０００９】
また、上記電動圧縮機について、前記閉塞壁部は、前記収容孔の内周面に嵌合される外周面と、前記外周面に凹設されるとともに前記モータ配線が挿通される挿通溝を有し、
前記保持部は、前記接続端子が挿入されるとともに前記挿通溝と連通しつつ同じ方向に開口する開口部を有するのが好ましい。
【００１０】
これによれば、接続端子とモータ配線とを接続した後であっても、開口部から保持部に接続端子を挿入できるとともに、挿通溝から閉塞壁部にモータ配線を挿通できる。よって、端子保持部材に接続端子を保持させる際の作業性が良好になる。
【００１１】
また、上記電動圧縮機について、前記収容孔と前記閉塞壁部における前記接続端子とは反対側の端面とによって囲まれる空間には、シール部材が設けられているのが好ましい。
これによれば、シール部材によって、収容孔と閉塞壁部との隙間がシールされる。このため、潤滑液を含んだ冷媒が、収容孔と閉塞壁部との隙間を介してクラスタブロック内に侵入することが抑制される。よって、接続端子とハウジングとの絶縁性をより高めることができる。
【００１２】
また、上記電動圧縮機について、前記クラスタブロックは、前記収容孔の開口側への前記端子保持部材の移動を規制する保持部材規制部を有するのが好ましい。
これによれば、保持部材規制部によってクラスタブロックに対する端子保持部材の移動が規制されるため、端子保持部材に保持されている接続端子についても、収容孔の開口側への移動が規制される。よって、接続端子に導電部材をより接続しやすくなる。
【００１３】
また、上記電動圧縮機について、前記端子保持部材は、前記端子保持部材に対する前記接続端子の移動を規制する端子規制部を有するのが好ましい。
これによれば、端子規制部によって端子保持部材に対する接続端子の移動が規制されるため、端子保持部材から接続端子が外れることを抑制できる。
【発明の効果】
【００１４】
本発明によれば、接続端子とハウジングとの絶縁を維持しつつ、接続端子に導電部材を接続しやすくできる。
【図面の簡単な説明】
【００１５】
【図１】実施形態の電動圧縮機の側断面図。
【図２】コネクタの分解斜視図。
【図３】接続端子及び端子保持部材の斜視図。
【図４】コネクタの断面図。
【図５】コネクタの斜視図。
【図６】（ａ）〜（ｃ）は端子保持部材に対する接続端子の組み付け方法を説明する斜視図。
【発明を実施するための形態】
【００１６】
以下、電動圧縮機を具体化した一実施形態を図１〜図６にしたがって説明する。
図１に示すように、電動圧縮機１０のハウジング１１は、一端（図１の左端）に開口１２ａが形成された有底筒状をなすモータハウジング１２と、モータハウジング１２の一端に連結された有底筒状をなす吐出ハウジング１３と、を有している。モータハウジング１２の底壁１２１には、有底筒状のインバータカバー１４が取り付けられている。モータハウジング１２と吐出ハウジング１３との間には吐出室Ｓ１が区画されている。吐出ハウジング１３の底壁には吐出ポート１５が形成されており、吐出ポート１５には図示しない外部冷媒回路が接続されている。モータハウジング１２の周壁１２２には吸入ポート１２３が形成されており、吸入ポート１２３には図示しない外部冷媒回路が接続されている。
【００１７】
モータハウジング１２内には回転軸１６が収容されている。さらに、モータハウジング１２内には、冷媒を圧縮する圧縮部１７と、圧縮部１７を駆動する電動モータ１８とが収容されている。電動モータ１８は、回転軸１６を駆動させる。圧縮部１７は、回転軸１６が回転することにより駆動する。電動モータ１８は、圧縮部１７よりもモータハウジング１２の底壁１２１（図１の右側）寄りに配置されている。
【００１８】
モータハウジング１２内において、圧縮部１７と電動モータ１８との間には軸支部材１９が設けられている。軸支部材１９の中央部には、回転軸１６の一端部が挿通される挿通孔１９ａが形成されている。挿通孔１９ａと回転軸１６の一端部との間にはラジアルベアリング１６ａが設けられている。回転軸１６の一端部は、ラジアルベアリング１６ａを介して軸支部材１９に回転可能に支持されている。
【００１９】
モータハウジング１２の底壁１２１には、軸受部１２１ａが凹設されている。軸受部１２１ａの内側には回転軸１６の他端部が挿入されている。軸受部１２１ａと回転軸１６の他端部との間にはラジアルベアリング１６ｂが設けられている。回転軸１６の他端部は、ラジアルベアリング１６ｂを介して軸受部１２１ａに回転可能に支持されている。
【００２０】
また、モータハウジング１２の底壁１２１とインバータカバー１４とによって収容空間Ｓ２が区画されている。収容空間Ｓ２内において、底壁１２１におけるインバータカバー１４側の外面にはモータ駆動回路２０（図１において二点鎖線で示す）が取り付けられている。よって、本実施形態では、圧縮部１７、電動モータ１８、及びモータ駆動回路２０がこの順序で回転軸１６の軸線Ｌの延びる方向（軸方向）に沿って並んで配置されている。
【００２１】
圧縮部１７は、モータハウジング１２内に固定された固定スクロール１７ａと、固定スクロール１７ａに対向配置された可動スクロール１７ｂとを備える。固定スクロール１７ａと可動スクロール１７ｂとの間には容積変更可能な圧縮室Ｓ３が区画形成されている。圧縮室Ｓ３の容積変更により圧縮された冷媒は、吐出室Ｓ１に吐出される。モータハウジング１２内、圧縮室Ｓ３、及び吐出室Ｓ１を流れる冷媒には、電動圧縮機１０内の摺動部位の潤滑（本実施形態では、固定スクロール１７と可動スクロール１７ｂとの潤滑）を良好とするための潤滑油が含まれている。
【００２２】
電動モータ１８は、回転軸１６と一体的に回転するロータ２１（回転子）と、ロータ２１を取り囲むようにモータハウジング１２の内周面に固定されたステータ２２（固定子）
とから構成されている。
【００２３】
ロータ２１は、円筒形状をなすロータコア２３を有するとともに、ロータコア２３は回転軸１６に止着されている。ロータコア２３内には複数の永久磁石２４が埋設されているとともに、各永久磁石２４は、ロータコア２３の周方向に等ピッチに設けられている。ステータ２２は、モータハウジング１２の内周面に固定された環状のステータコア２５と、ステータコア２５に設けられるＵ相、Ｖ相、Ｗ相のコイル２６とを有している。
【００２４】
ステータコア２５の一端面２５１からは各相の第１コイルエンド２６１が突出している。ステータコア２５の他端面２５２からは各相の第２コイルエンド２６２が突出している。第１コイルエンド２６１は、圧縮部１７側（回転軸１６の軸方向一端側）に位置するとともに、第２コイルエンド２６２は、モータ駆動回路２０側（回転軸１６の軸方向他端側）に位置している。
【００２５】
各相の第１コイルエンド２６１からは、モータ配線２７が２本ずつ引き出されている。Ｕ相、Ｖ相、Ｗ相のコイル２６は、低電圧化を図るために、２本の導線が巻回されて形成された二重線構造になっている。なお、図１では、例えば、Ｕ相の１本のモータ配線２７のみを図示している。各モータ配線２７は、コイル２６の導線が絶縁被膜によって被覆された状態で第２コイルエンド２６２から引き出されている。
【００２６】
モータハウジング１２の底壁１２１には貫通孔１２１ｂが形成されている。貫通孔１２１ｂには気密端子３１が配設されている。気密端子３１は、Ｕ相、Ｖ相、Ｗ相のコイル２６に対応して３つの導電部材３２（図１では１つのみ図示）を有している。各導電部材３２は、直線状に延びる円柱状の金属端子である。各導電部材３２は、貫通孔１２１ｂに挿通されるとともに一端がモータ駆動回路２０に電気的に接続されている。各導電部材３２の他端は、収容空間Ｓ２から貫通孔１２１ｂを介してモータハウジング１２内に突出している。また、気密端子３１は、各導電部材３２を底壁１２１に対し絶縁しつつ固定するガラス製の３つの絶縁部材３３（図１では１つのみ図示）を有している。
【００２７】
モータハウジング１２内には、モータ配線２７と導電部材３２とを接続するコネクタ４０が収容されている。コネクタ４０は、回転軸１６の軸方向において電動モータ１８と底壁１２１との間に配置されている。
【００２８】
図２に示すように、コネクタ４０は、Ｕ相、Ｖ相、Ｗ相のコイル２６に対応する３つの接続端子５０と、３つの接続端子５０を収容する絶縁性の端子収容部材５４とを備えている。端子収容部材５４は、３つの端子保持部材６０と、３つの端子保持部材６０を収容するクラスタブロック７０とを備えている。
【００２９】
図３に示すように、各接続端子５０は、各相の２本のモータ配線２７と電気的に接続される第１接続部５１と、各導電部材３２と電気的に接続される第２接続部５２とを有している。第１接続部５１は、直線状に延びている。第１接続部５１には、２本のモータ配線２７の先端部が接続されている。各相の２本のモータ配線２７は、円筒状の絶縁性のチューブ部材２８に挿通され、チューブ部材２８によって覆われている。各モータ配線２７の先端部では、チューブ部材２８によって覆われず、かつ絶縁被膜が除去された導線が露出している。チューブ部材２８の内径は、モータ配線２７の２本分の径よりも大きい。よって、２本のモータ配線２７とチューブ部材２８の内周面との間には、間隙が形成されている。
【００３０】
各接続端子５０は、チューブ部材２８における第１接続部５１側の端部、及び２本のモータ配線２７の第１接続部５１側の一部をかしめるかしめ部５３を有している。かしめ部
５３は、第１接続部５１におけるチューブ部材２８側の一端部からチューブ部材２８を取り囲むように延設されている。各モータ配線２７は、チューブ部材２８に挿通された状態でかしめ部５３によってかしめられることにより、各接続端子５０に機械的に接続されている。
【００３１】
第２接続部５２は、第１接続部５１の他端部に連続している。第２接続部５２は、第１接続部５１の他端部から延設された一対の長側壁５２１と、一対の長側壁５２１の長手方向の一端に架設された第１短側壁５２２と、一対の長側壁５２１の長手方向の他端に架設された第２短側壁５２３とを有する略四角筒状である。第２接続部５２の軸心方向Ｃは、第１接続部５１の長手方向と直交する方向であり、長側壁５２１の短手方向に延びている。第２接続部５２において一対の長側壁５２１と、第１短側壁５２２と、第２短側壁５２３とで形成される四角筒の内側には、導電部材３２の他端が挿入される。接続端子５０の第２接続部５２に対して導電部材３２が挿入される方向を第１方向としてのＸ方向とし、第１接続部５１の長手方向を第２方向としてのＹ方向とし、Ｘ方向及びＹ方向と直交する方向を第３方向としてのＺ方向とする。
【００３２】
各長側壁５２１はＹ方向に長手が延びる壁であり、第１短側壁５２２及び第２短側壁５２３はＺ方向に長手が延びる壁である。第１短側壁５２２と第２短側壁５２３は、Ｙ方向において対になっている。第１短側壁５２２は、第２短側壁５２３よりも第１接続部５１側に位置している。図４及び図６（ａ）に示すように、第２接続部５２は、一対の長側壁５２１の長手方向の他端に架設された底側壁５２４を有している。底側壁５２４の長手はＺ方向に延び、底側壁５２４の短手はＹ方向に延びる。第２短側壁５２３と底側壁５２４は、Ｘ方向において対になっている。第２接続部５２は、係止窓５２５を有している。係止窓５２５は、一対の長側壁５２１と第２短側壁５２３と底側壁５２４とによって囲まれた孔である。
【００３３】
図３に示すように、各端子保持部材６０は、Ｙ方向で断面コ字状の部位を備える。断面コ字状の部位は、第１壁部６１と、第１壁部６１と対向する第２壁部６２と、第１壁部６１と第２壁部６２とをＸ方向に接続する第３壁部６３とを有している。
【００３４】
第１壁部６１は、段形状である。第１壁部６１は、Ｙ方向に並ぶ高段部６１ａ、中段部６１ｂ、及び低段部６１ｃを有している。第１壁部６１の長手方向は、高段部６１ａ、中段部６１ｂ、及び低段部６１ｃが並ぶ方向、すなわちＹ方向と一致する。Ｙ方向において、低段部６１ｃは、高段部６１ａと中段部６１ｂとの間に位置している。Ｘ方向における第１壁部６１と第２壁部６２との距離は、高段部６１ａ、中段部６１ｂ、低段部６１ｃの順に短くなっている。また、第１壁部６１は、高段部６１ａと低段部６１ｃとを接続する第１接続壁６１ｄと、中段部６１ｂと低段部６１ｃとを接続する第２接続壁６１ｅとを有している。第２壁部６２及び第３壁部６３は、第１壁部６１と同様、長手がＹ方向に延びている。また、第１壁部６１及び第２壁部６２は、短手がＺ方向に延び、第３壁部６３は、短手がＸ方向に延びている。
【００３５】
端子保持部材６０は、第１〜第３壁部６１〜６３の一対の短縁部のうち一方の短縁部を繋ぐ矩形平板状の第４壁部６４と、第１〜第３壁部６１〜６３の一対の短縁部のうち他方の短縁部を繋ぐ矩形平板状の第５壁部６５とを有している。第４壁部６４と第５壁部６５とは、Ｙ方向で対になっている。よって、端子保持部材６０は、有底筒状である。端子保持部材６０は、第１〜第５壁部６１〜６５によって囲まれた空間に保持部６６を有している。また、端子保持部材６０は、保持部６６に接続端子５０を挿入するための開口部６６ａを有している。開口部６６ａは、Ｚ方向の一方側（第３壁部６３とは反対側）に向けて開口している。
【００３６】
図４に示すように、接続端子５０の第１接続部５１は、第１壁部６１の低段部６１ｃと第２壁部６２との間に保持されている。接続端子５０の第２接続部５２は、第１壁部６１の高段部６１ａと第２壁部６２との間に保持されている。接続端子５０のかしめ部５３は、第１壁部６１の中段部６１ｂと第２壁部６２との間に保持されている。第４壁部６４は、Ｙ方向において高段部６１ａ側（第２接続部５２側）に位置し、第５壁部６５は、Ｙ方向において中段部６１ｂ側に位置している。
【００３７】
第１壁部６１は、高段部６１ａをＸ方向に貫通する貫通部６７を有している。導電部材３２の他端は、貫通部６７を介して接続端子５０の第２接続部５２の四角筒の内側に接続されている。第２壁部６２は、第１壁部６１の高段部６１ａと向かい合う部位をＸ方向に貫通する矩形状の爪部形成窓６２ａを有している。第２壁部６２は、爪部形成窓６２ａ内に爪部６２ｂを有している。図４に示すように、爪部６２ｂの先端側の部位は、第２壁部６２の外面よりも突出している。
【００３８】
図３に示すように、第４壁部６４は、第５壁部６５に向けて突出する突起６４ａを有している。突起６４ａは、Ｘ方向において第２壁部６２側に位置している。第５壁部６５は、第５壁部６５をＹ方向に貫通するモータ配線挿通部６９を有している。モータ配線挿通部６９は、保持部６６と連通している。第５壁部６５は、モータ配線２７が挿通される挿通溝６９ａを有している。挿通溝６９ａは、第５壁部６５の厚さ方向に沿う面である外周面６５ａに凹設されている。挿通溝６９ａは、Ｚ方向の一方（第３壁部６３とは反対側）に向けて開口している。すなわち、挿通溝６９ａは、開口部６６ａと同じ方向に開口している。挿通溝６９ａは、開口部６６ａと連通している。チューブ部材２８及びチューブ部材２８に挿通された２本のモータ配線２７は、挿通溝６９ａを介してモータ配線挿通部６９に挿通されている。
【００３９】
図４に示すように、第２接続部５２は、Ｘ方向において第１壁部６１の高段部６１ａの内面と第２壁部６２の内面との間に位置する。このため、端子保持部材６０に対して接続端子５０がＸ方向に移動しても、第２接続部５２が第１壁部６１の高段部６１ａ又は第２壁部６２に接触し、接続端子５０の更なる移動が規制される。よって、第１壁部６１の高段部６１ａ及び第２壁部６２は、Ｘ方向において端子保持部材６０に対する接続端子５０の移動を規制する第１端子規制部である。
【００４０】
第２接続部５２は、Ｙ方向において第１壁部６１の第１接続壁６１ｄの内面と第４壁部６４の内面との間に位置する。このため、端子保持部材６０に対して接続端子５０がＹ方向に移動しても、第２接続部５２が第１壁部６１の第１接続壁６１ｄ又は第４壁部６４と接触し、接続端子５０の更なる移動が規制される。よって、第１壁部６１の第１接続壁６１ｄ及び第４壁部６４は、Ｙ方向において端子保持部材６０に対する接続端子５０の移動を規制する第２端子規制部である。
【００４１】
図４に示すように、第２接続部５２の係止窓５２５には、第４壁部６４の突起６４ａが挿入されている。このため、端子保持部材６０に対して接続端子５０がＺ方向に移動しても、係止窓５２５の内側が突起６４ａに接触し、接続端子５０の更なる移動が規制される。よって、突起６４ａは、Ｚ方向において端子保持部材６０に対する接続端子５０の移動を規制する第３端子規制部である。
【００４２】
図２に示すように、クラスタブロック７０は、段形状の底壁７１と、底壁７１の各縁部から立設する側壁７２とを有している。側壁７２の先端面は、底壁７１と同じ段形状になっている。クラスタブロック７０は、内部に３つの収容孔７３を有している。各端子保持部材６０は、各収容孔７３に収容される。３つの収容孔７３は、底壁７１から側壁７２が立設する方向から見たとき、一直線上に並んで配置されている。各収容孔７３は、区画壁
７４によって他の収容孔７３と区画されている。各収容孔７３は、底壁７１、側壁７２、及び区画壁７４によって囲まれた空間である。各収容孔７３は、底壁７１から側壁７２が立設する方向に沿って軸心が延びる細長孔状である。各収容孔７３は、底壁７１とは反対側に開口している。各収容孔７３は、開口側から見たとき矩形状である。各収容孔７３は、短手同士が隣り合うように並んでいる。各収容孔７３の長手方向の寸法は、第５壁部６５の長手方向の寸法よりも僅かに大きく、各収容孔７３の短手方向の寸法は、第５壁部６５の短手方向の寸法よりも僅かに大きい。各収容孔７３に対して各端子保持部材６０が挿入される方向は、Ｙ方向と一致している。
【００４３】
図４に示すように、クラスタブロック７０は、各クラスタブロック７０の４つの側壁７２のうち、面積の大きい２つの側壁７２の一方を貫通する３つの貫通孔７２ａと、貫通孔７２ａが形成された側壁７２の外面から突出する円筒状の３つのガイド部７２ｂとを備えている。各貫通孔７２ａ及び各ガイド部７２ｂは、底壁７１寄りに位置している。各ガイド部７２ｂの内側は各貫通孔７２ａに連通し、各貫通孔７２ａは各収容孔７３に連通している。各導電部材３２の他端は、各ガイド部７２ｂの内側、及び各貫通孔７２ａを介して各接続端子５０の第２接続部５２の四角筒の内側に挿嵌される。各ガイド部７２ｂの内周面及び各貫通孔７２ａは、各導電部材３２が挿通される導電部材挿通孔７５を構成している。よって、クラスタブロック７０は、３つの導電部材挿通孔７５を有している。クラスタブロック７０は、導電部材挿通孔７５が形成された側壁７２と対をなす側壁７２の内面に３つの凹部７６を備える。各凹部７６は、各収容孔７３内に設けられている。各凹部７６は、底壁７１寄りに位置している。
【００４４】
各端子保持部材６０は、第４壁部６４がクラスタブロック７０の底壁７１側、第５壁部６５がクラスタブロック７０の収容孔７３の開口側に位置するように各クラスタブロック７０に収容されている。各端子保持部材６０の第１壁部６１は、導電部材挿通孔７５が形成された側壁７２の内面と対向している。第１壁部６１の高段部６１ａに形成された貫通部６７は、クラスタブロック７０の導電部材挿通孔７５と連通している。各端子保持部材６０の第２壁部６２は、凹部７６が形成された側壁７２の内面と対向している。第２壁部６２の爪部６２ｂの先端側部位は、クラスタブロック７０の凹部７６に収容されている。このため、端子保持部材６０が収容孔７３の開口側に移動しても、爪部６２ｂの先端部が凹部７６の内壁と接触することで、端子保持部材６０の更なる移動が規制される。よって、クラスタブロック７０の凹部７６は、Ｙ方向においてクラスタブロック７０に対する端子保持部材６０の移動を規制する保持部材規制部である。
【００４５】
各端子保持部材６０の第４壁部６４は、クラスタブロック７０の底壁７１の内面と対向する。各端子保持部材６０の第５壁部６５は、外周面６５ａがクラスタブロック７０の各収容孔７３の開口に嵌合されることで、各収容孔７３の開口を閉塞している。よって、第５壁部６５は、閉塞壁部である。第５壁部６５における第４壁部６４とは反対側の端面６５ｂは、Ｙ方向においてクラスタブロック７０の側壁７２の先端面よりも底壁７１側に位置している。
【００４６】
図４及び図５に示すように、各収容孔７３を形成する側壁７２及び区画壁７４の内面と第５壁部６５の端面６５ｂとによって囲まれる空間にはそれぞれ、シール部材としての第１シール部材９１が設けられている。本実施形態の第１シール部材９１は、樹脂製の接着剤である。各端子保持部材６０とクラスタブロック７０とは、第１シール部材９１によって接着されている。また、各収容孔７３を形成する側壁７２及び区画壁７４の内面と第５壁部６５の外縁部との間、及び第５壁部６５のモータ配線挿通部６９とチューブ部材２８との間は、第１シール部材９１によってシールされている。
【００４７】
各導電部材挿通孔７５の内周面の一部である各ガイド部７２ｂの内周面と導電部材３２
との隙間には、シール部材としての第２シール部材９２が取り付けられている。本実施形態の第２シール部材９２は、筒状のゴム栓である。各ガイド部７２ｂの内周面と各導電部材３２との隙間は、第２シール部材９２によってシールされている。
【００４８】
次に、コネクタ４０の組み付け方法について詳述する。
まず、接続端子５０の第１接続部５１に２本のモータ配線２７を接続する。これにより、接続端子５０は、モータ配線２７と電気的に接続される。また、チューブ部材２８の第１接続部５１側の端部、及びモータ配線２７の第１接続部５１側の一部をかしめてかしめ部５３を形成する。
【００４９】
次に、図６（ａ）〜図６（ｃ）に示すように、接続端子５０を、Ｚ方向の一方側（第３壁部６３とは反対側）から端子保持部材６０の保持部６６に挿入するとともに、チューブ部材２８を第５壁部６５の挿通溝６９ａからモータ配線挿通部６９に挿入する。このとき、図６（ａ）に示すように、各接続端子５０において、第２接続部５２は、第１接続部５１よりも先に保持部６６に挿入される。第２接続部５２の係止窓５２５には、端子保持部材６０の第４壁部６４の突起６４ａが挿入される。その後、図６（ｂ）に示すように、各接続端子５０の第１接続部５１が保持部６６に挿入され、チューブ部材２８がモータ配線挿通部６９に挿入される。これにより、図６（ｃ）に示すように、接続端子５０は、端子保持部材６０の保持部６６に保持され、チューブ部材２８は、モータ配線挿通部６９に挿通された状態となる。また、端子保持部材６０の第３壁部６３の貫通部６７は、接続端子５０の第２接続部５２の四角筒の内側と連通する。
【００５０】
次に、接続端子５０を保持する端子保持部材６０をクラスタブロック７０の収容孔７３に挿入する。このとき、第２壁部６２の爪部６２ｂは、クラスタブロック７０の側壁７２によって第２接続部５２側に押圧される。そして、端子保持部材６０が収容孔７３に完全に収容されると、第２壁部６２の爪部６２ｂは、クラスタブロック７０の凹部７６と対向することで押圧された状態から原形状に復帰するとともに凹部７６に収容される。また、端子保持部材６０の第３壁部６３の貫通部６７、及び接続端子５０の第２接続部５２の四角筒の内側は、クラスタブロック７０の導電部材挿通孔７５と連通する。さらに、端子保持部材６０の第５壁部６５は、クラスタブロック７０の収容孔７３の開口に嵌合されて収容孔７３の開口を閉塞する。
【００５１】
次に、収容孔７３の開口と第５壁部６５の端面６５ｂとによって囲まれた空間に接着剤を充填することで第１シール部材９１を設ける。また、各導電部材３２の他端を、クラスタブロック７０の導電部材挿通孔７５及び端子保持部材６０の貫通部６７を介して接続端子５０の第２接続部５２の四角筒の内側に挿入する。これにより、接続端子５０は、導電部材３２と電気的に接続される。そして、各ガイド部７２ｂの内周面と導電部材３２との間に第２シール部材９２を取り付ける。
【００５２】
上記構成の電動圧縮機１０では、モータ駆動回路２０から、各導電部材３２、各接続端子５０、及び各モータ配線２７を介して電動モータ１８に電力が供給されると、電動モータ１８が駆動し、電動モータ１８の駆動に伴う回転軸１６の回転によって、圧縮部１７が駆動して冷媒が圧縮部１７により圧縮される。
【００５３】
本実施形態の作用及び効果について説明する。
（１）各収容孔７３の開口は、各端子保持部材６０の第５壁部６５によって閉塞されている。このため、潤滑液を含んだ冷媒が各収容孔７３を介してクラスタブロック７０内に侵入することが抑制される。よって、接続端子５０とモータハウジング１２との絶縁を維持できる。また、各導電部材３２は、各接続端子５０を保持している各端子保持部材６０がクラスタブロック７０の各収容孔７３に収容された後で、接続端子５０に接続される。
各端子保持部材６０の第５壁部６５は、各収容孔７３の開口を閉塞し、各接続端子５０は、各端子保持部材６０の保持部６６によって保持されている。つまり、各接続端子５０を保持する各端子保持部材６０の一部が接続端子５０を収容する隔壁の一部を構成している。よって、クラスタブロック７０内での各接続端子５０の移動が規制され、各接続端子５０に各導電部材３２を接続しやすい。
【００５４】
また、第５壁部６５にはモータ配線２７が挿通され、保持部６６には接続端子５０が保持されている。このため、第５壁部６５とモータ配線２７との位置関係、及び保持部６６と接続端子５０との位置関係を保ったまま、端子保持部材６０をクラスタブロック７０に収容できる。よって、接続端子５０とモータハウジング１２との絶縁を維持しつつ、クラスタブロック７０に端子保持部材６０を組み付けやすくできる。
【００５５】
（２）各端子保持部材６０の保持部６６は、接続端子５０が挿入される開口部６６ａを有している。また、各端子保持部材６０の第５壁部６５は、モータ配線２７が挿通される挿通溝６９ａを有している。開口部６６ａと挿通溝６９ａは、連通しつつ同じ方向に開口している。このため、接続端子５０とモータ配線２７とを接続した後であっても、開口部６６ａ及び挿通溝６９ａから保持部６６及びモータ配線挿通部６９に接続端子５０及びモータ配線２７を挿入できる。よって、各端子保持部材６０に各接続端子５０を保持させる際の作業性が良好になる。
【００５６】
（３）各クラスタブロック７０の収容孔７３の開口と各端子保持部材６０の第５壁部６５の端面６５ｂとによって囲まれる空間には、第１シール部材９１である接着剤が充填されている。第１シール部材９１によって、収容孔７３の開口と第５壁部６５の外縁部との隙間がシールされる。このため、潤滑液を含んだ冷媒が、収容孔７３の開口と第５壁部６５との隙間を介してクラスタブロック７０内に侵入することが抑制される。よって、接続端子５０とモータハウジング１２との絶縁性をより高めることができる。
【００５７】
（４）各クラスタブロック７０の収容孔７３の開口と各端子保持部材６０の第５壁部６５の端面６５ｂとによって囲まれる空間には、第１シール部材９１である接着剤が充填されている。第１シール部材９１によって、チューブ部材２８とモータ配線挿通部６９との隙間がシールされる。このため、潤滑液を含んだ冷媒が、チューブ部材２８と第５壁部６５のモータ配線挿通部６９との隙間を介してクラスタブロック７０内に侵入することが抑制される。よって、接続端子５０とモータハウジング１２との絶縁性をより高めることができる。
【００５８】
（５）クラスタブロック７０の導電部材挿通孔７５の一部である各ガイド部７２ｂの内周面と各導電部材３２との間には、第２シール部材９２であるゴム栓が取り付けられている。第２シール部材９２によって、各ガイド部７２ｂの内周面と各導電部材３２との隙間がシールされる。このため、潤滑液を含んだ冷媒が、各ガイド部７２ｂの内周面と各導電部材３２との隙間を介してクラスタブロック７０内に侵入することが抑制される。よって、接続端子５０とモータハウジング１２との絶縁性をより高めることができる。
【００５９】
（６）端子保持部材６０の第２壁部６２は、爪部６２ｂを備える。爪部６２ｂは、クラスタブロック７０の凹部７６に収容されている。このため、端子保持部材６０が収容孔７３の開口側に移動しても、爪部６２ｂの先端部が凹部７６の内壁に接触し、クラスタブロック７０に対する端子保持部材６０の移動が規制される。よって、各端子保持部材６０に保持されている各接続端子５０についても収容孔７３の開口側への移動が規制され、各接続端子５０に各導電部材３２をより接続しやすくなる。
【００６０】
（７）各接続端子５０の第２接続部５２は、各端子保持部材６０の第１壁部６１の高段
部６１ａと第２壁部６２とによってＸ方向に挟まれている。第１壁部６１及び第２壁部６２は、端子保持部材６０に対する接続端子５０のＸ方向への移動を規制する。よって、各端子保持部材６０から各接続端子５０が外れることを抑制できる。
【００６１】
（８）各接続端子５０の第２接続部５２は、各端子保持部材６０の第１壁部６１の第１接続壁６１ｄと第４壁部６４とによってＹ方向に挟まれている。第１壁部６１の第１接続壁６１ｄ及び第４壁部６４は、端子保持部材６０に対する接続端子５０のＹ方向への移動を規制する。よって、各端子保持部材６０から各接続端子５０が外れることを抑制できる。
【００６２】
（９）各接続端子５０の第２接続部５２の係止窓５２５には、各端子保持部材６０の第４壁部６４の突起６４ａが挿入されている。突起６４ａは、端子保持部材６０に対する接続端子５０のＸ方向及びＺ方向への移動を規制する。よって、各端子保持部材６０から各接続端子５０が外れることを抑制できる。
【００６３】
本実施形態は、以下のように変更して実施することができる。本実施形態及び以下の変更例は、技術的に矛盾しない範囲で互いに組み合わせて実施することができる。
○  クラスタブロック７０の形状は適宜変更してよい。例えば、底壁７１及び側壁７２の先端面は、段状でなくてもよく、同じ平面上に配置されていてもよい。
【００６４】
○  クラスタブロック７０における各収容孔７３の配置態様は適宜変更してよい。クラスタブロック７０を開口側から見たとき、各収容孔７３は、短手同士が隣り合うように一直線上に並んで配置されていなくてもよい。
【００６５】
○  チューブ部材２８を省略してもよい。
○  コイル２６の相数を変更してよい。
○  コイル２６を形成する導線の本数は、１本でもよいし、３本以上でもよい。
【００６６】
○  端子保持部材６０及び収容孔７３の数は、コイル２６の相数に応じて適宜変更してよい。
○  導電部材挿通孔７５の数は、コイル２６の相数に応じて適宜変更してよい。
【００６７】
○  クラスタブロック７０に対する端子保持部材６０の収容孔７３の開口側への移動を規制する保持部材規制部の構成は、適宜変更してよい。
○  端子保持部材６０に対する接続端子５０の移動を規制する端子規制部の構成は、適宜変更してよい。
【００６８】
例えば、端子保持部材６０の第３壁部６３に保持部６６の開口部６６ａ側に突出する突起を形成するとともに、接続端子５０の第２接続部５２に長側壁５２１をＺ方向に貫通する係止窓を形成してもよい。接続端子５０の第２接続部５２の係止窓には、端子保持部材６０の第３壁部６３の突起が挿入される。これにより、端子保持部材６０に対する接続端子５０のＸ方向及びＹ方向への移動を規制できる。また、端子保持部材６０の第４壁部６４の突起の代わりに凹部を形成するとともに、接続端子５０の第２接続部５２の係止窓の代わりに爪部を形成してもよい。第２接続部５２の爪部は、第４壁部６４の凹部に収容される。これにより、端子保持部材６０に対する接続端子５０のＺ方向への移動を規制できる。
【００６９】
○  圧縮部１７は、固定スクロール１７ａと可動スクロール１７ｂとで構成されるタイプに限らず、例えば、ピストンタイプやベーンタイプなどに変更してもよい。
上記実施形態及び変更例から把握できる技術的思想について記載する。
【００７０】
（イ）前記クラスタブロックは、前記導電部材が挿通される導電部材挿通孔を備え、前記導電部材挿通孔と前記導電部材との間には、シール部材が設けられている電動圧縮機。
（ロ）前記導電部材挿通孔に対する前記導電部材の挿入方向を第１方向としたとき、前記端子規制部は、前記第１方向において前記端子保持部材に対する前記接続端子の移動を規制する第１端子規制部を備え、前記第１端子規制部は、前記端子保持部材の壁部である電動圧縮機。
【００７１】
（ハ）前記収容孔に対して前記端子保持部材が挿入される方向を第２方向としたとき、前記端子規制部は、前記第２方向において前記端子保持部材に対する前記接続端子の移動を規制する第２端子規制部を備え、前記第２端子規制部は、前記端子保持部材の壁部である電動圧縮機。
【００７２】
（ニ）前記第１方向及び前記第２方向と直交する方向を第３方向としたとき、前記端子規制部は、前記第３方向において前記端子保持部材に対する前記接続端子の移動を規制する第３端子規制部を備え、前記第３端子規制部は、前記端子保持部材の壁部から突出する突起である電動圧縮機。
【符号の説明】
【００７３】
１０…電動圧縮機、１１…ハウジング、１７…圧縮部、１８…電動モータ、２０…モータ駆動回路、２７…モータ配線、３２…導電部材、５０…接続端子、５４…端子収容部材、６０…端子保持部材、６１ａ…端子規制部としての高段部、６１ｄ…端子規制部としての第１接続壁、６４…端子規制部としての第４壁部、６４ａ…端子規制部としての突起、６５…閉塞壁部としての第５壁部、６５ａ…外周面、６５ｂ…端面、６６…保持部、６６ａ…開口部、６９ａ…挿通溝、７０…クラスタブロック、７３…収容孔、７６…保持部材規制部としての凹部、９１…シール部材としての第１シール部材。
【図１】
2019178668.tif 000003
【図２】
2019178668.tif 000004
【図３】
2019178668.tif 000005
【図４】
2019178668.tif 000006
【図５】
2019178668.tif 000007
【図６】
2019178668.tif 000008